(57)【要約】【課題】運用場所の変化に対応することが容易な搬送ロボットと施工ロボットの統合管理システムを提供する。【解決手段】施工現場において用いられ、資材を搬送するための搬送ロボット１〜４と、資材を施工するための施工ロボット５とを統合的に管理するシステム１０であって、公衆回線網１２を介して搬送ロボット１〜４の搬送動作を制御管理する搬送ロボット管理手段１４と、公衆回線網１２を介して施工ロボット５の施工動作を制御管理する施工ロボット管理手段１６とを備えるようにする。【選択図】図１
2017228101.tif 000002
【特許請求の範囲】
【請求項１】
施工現場において用いられ、資材を搬送するための搬送ロボットと、資材を施工するための施工ロボットとを統合的に管理するシステムであって、
無線もしくは有線の通信手段を用いて少なくとも一台の搬送ロボットの搬送動作を制御管理する搬送ロボット管理手段と、
無線もしくは有線の通信手段を用いて少なくとも一台の施工ロボットの施工動作を制御管理する施工ロボット管理手段とを備えることを特徴とする搬送ロボットと施工ロボットの統合管理システム。
【請求項２】
搬送ロボット管理手段および施工ロボット管理手段は、作業指示情報を入力可能な管理端末に格納され、搬送ロボットおよび施工ロボットはこの管理端末に入力された作業指示情報に基づいて制御管理されることを特徴とする請求項１に記載の搬送ロボットと施工ロボットの統合管理システム。
【請求項３】
搬送ロボットは、施工現場の位置情報を表す図面データに基づいて自己位置を推定しながら自律走行可能であり、搬送ロボット管理手段から指示された搬送順序に従い資材を仮置場からエレベータ／リフトへ、またはエレベータ／リフトから仮置場へ搬送するように制御されることを特徴とする請求項１または２に記載の搬送ロボットと施工ロボットの統合管理システム。
【請求項４】
搬送ロボットは、搬送ロボット管理手段から指示された搬送順序に従い資材を仮置場またはエレベータ／リフトから施工ロボットの施工場所へ搬送するように制御されることを特徴とする請求項１〜３のいずれか一つに記載の搬送ロボットと施工ロボットの統合管理システム。
【請求項５】
施工ロボットは、施工現場の位置情報を表す図面データに基づいて自己位置を推定しながら自律走行可能であり、施工ロボット管理手段から指示された施工順序に従い資材を指定の場所に施工するように制御されることを特徴とする請求項１〜４のいずれか一つに記載の搬送ロボットと施工ロボットの統合管理システム。
【請求項６】
無線もしくは有線の通信手段を用いて少なくとも一台のエレベータ／リフトの動作を制御管理するエレベータ／リフト管理手段をさらに備え、
エレベータ／リフトは、搬送ロボットからの資材の積込みまたは荷降ろしの情報に基づいて自動開閉する扉を有し、エレベータ／リフト管理手段から指示された揚重先階数へ昇降移動可能に、かつ、扉を開閉して資材の荷降ろし後に積込み階に昇降移動可能に制御されることを特徴とする請求項１〜５のいずれか一つに記載の搬送ロボットと施工ロボットの統合管理システム。
【発明の詳細な説明】
【技術分野】
【０００１】
本発明は、例えば建設現場などにおいて資材の搬送を行う自動搬送台車などの搬送ロボットと、資材の取り付け施工等を行う施工ロボットとを統合的に制御管理するのに好適な搬送ロボットと施工ロボットの統合管理システムに関するものである。
【背景技術】
【０００２】
従来、自動搬送システムやロボット生産システムは工場や倉庫など固定された施設内で運用されることが多い（例えば、特許文献１、２を参照）。そのため、管理には施設内にローカルネットワークを構築し無線や有線の通信回線により集中管理する方法が一般的である。
【０００３】
これらのシステムでは、搬送台車やロボットの運用場所が集中管理システムのローカルネットワーク内に限定され、外部環境へ移設するためには新たに管理コンピュータ、通信インフラを設ける必要があった。そのため、建設現場など運用場所の変化が多い建設業などの業態では、自動搬送システムの適用が困難であるという問題があった。
【先行技術文献】
【特許文献】
【０００４】
【特許文献１】特開２００３−１８６６３号公報
【特許文献２】特開２００９−８０８０４号公報
【発明の概要】
【発明が解決しようとする課題】
【０００５】
このため、運用場所ごとに新たに通信インフラを敷設することなく運用を開始でき、運用場所の変化に対応することが容易な搬送ロボットと施工ロボットの統合管理システムの開発が求められていた。
【０００６】
本発明は、上記に鑑みてなされたものであって、運用場所の変化に対応することが容易な搬送ロボットと施工ロボットの統合管理システムを提供することを目的とする。
【課題を解決するための手段】
【０００７】
上記した課題を解決し、目的を達成するために、本発明に係る搬送ロボットと施工ロボットの統合管理システムは、施工現場において用いられ、資材を搬送するための搬送ロボットと、資材を施工するための施工ロボットとを統合的に管理するシステムであって、無線もしくは有線の通信手段を用いて少なくとも一台の搬送ロボットの搬送動作を制御管理する搬送ロボット管理手段と、無線もしくは有線の通信手段を用いて少なくとも一台の施工ロボットの施工動作を制御管理する施工ロボット管理手段とを備えることを特徴とする。
【０００８】
また、本発明に係る他の搬送ロボットと施工ロボットの統合管理システムは、上述した発明において、搬送ロボット管理手段および施工ロボット管理手段は、作業指示情報を入力可能な管理端末に格納され、搬送ロボットおよび施工ロボットはこの管理端末に入力された作業指示情報に基づいて制御管理されることを特徴とする。
【０００９】
また、本発明に係る他の搬送ロボットと施工ロボットの統合管理システムは、上述した発明において、搬送ロボットは、施工現場の位置情報を表す図面データに基づいて自己位置を推定しながら自律走行可能であり、搬送ロボット管理手段から指示された搬送順序に従い資材を仮置場からエレベータ／リフトへ、またはエレベータ／リフトから仮置場へ搬送するように制御されることを特徴とする。
【００１０】
また、本発明に係る他の搬送ロボットと施工ロボットの統合管理システムは、上述した発明において、搬送ロボットは、搬送ロボット管理手段から指示された搬送順序に従い資材を仮置場またはエレベータ／リフトから施工ロボットの施工場所へ搬送するように制御されることを特徴とする。
【００１１】
また、本発明に係る他の搬送ロボットと施工ロボットの統合管理システムは、上述した発明において、施工ロボットは、施工現場の位置情報を表す図面データに基づいて自己位置を推定しながら自律走行可能であり、施工ロボット管理手段から指示された施工順序に従い資材を指定の場所に施工するように制御されることを特徴とする。
【００１２】
また、本発明に係る他の搬送ロボットと施工ロボットの統合管理システムは、上述した発明において、無線もしくは有線の通信手段を用いて少なくとも一台のエレベータ／リフトの動作を制御管理するエレベータ／リフト管理手段をさらに備え、エレベータ／リフトは、搬送ロボットからの資材の積込みまたは荷降ろしの情報に基づいて自動開閉する扉を有し、エレベータ／リフト管理手段から指示された揚重先階数へ昇降移動可能に、かつ、扉を開閉して資材の荷降ろし後に積込み階に昇降移動可能に制御されることを特徴とする。
【発明の効果】
【００１３】
本発明に係る搬送ロボットと施工ロボットの統合管理システムによれば、施工現場において用いられ、資材を搬送するための搬送ロボットと、資材を施工するための施工ロボットとを統合的に管理するシステムであって、無線もしくは有線の通信手段を用いて少なくとも一台の搬送ロボットの搬送動作を制御管理する搬送ロボット管理手段と、無線もしくは有線の通信手段を用いて少なくとも一台の施工ロボットの施工動作を制御管理する施工ロボット管理手段とを備えるので、通信制御手段として公衆回線網を用いることから、システムの運用場所に通信インフラを新たに敷設することなく運用を開始でき、運用場所の変化に対応することが容易であるという効果を奏する。また、搬送ロボットと施工ロボットといった各種自動化機械を統合管理することで各々を連携し搬送から施工まで一体で自動化することが可能となる。
【００１４】
また、本発明に係る他の搬送ロボットと施工ロボットの統合管理システムによれば、搬送ロボット管理手段および施工ロボット管理手段は、作業指示情報を入力可能な管理端末に格納され、搬送ロボットおよび施工ロボットはこの管理端末に入力された作業指示情報に基づいて制御管理されるので、作業管理者などが作業指示情報をその都度管理端末に入力して手順の指示を行うことで搬送ロボットと施工ロボットを容易に制御管理することができるという効果を奏する。また、施工環境の変化に対応することができる。
【００１５】
また、本発明に係る他の搬送ロボットと施工ロボットの統合管理システムによれば、搬送ロボットは、施工現場の位置情報を表す図面データに基づいて自己位置を推定しながら自律走行可能であり、搬送ロボット管理手段から指示された搬送順序に従い資材を仮置場からエレベータ／リフトへ、またはエレベータ／リフトから仮置場へ搬送するように制御されるので、仮置場とエレベータ／リフトの間における搬送ロボットの自律走行を制御することができるという効果を奏する。
【００１６】
また、本発明に係る他の搬送ロボットと施工ロボットの統合管理システムによれば、搬送ロボットは、搬送ロボット管理手段から指示された搬送順序に従い資材を仮置場またはエレベータ／リフトから施工ロボットの施工場所へ搬送するように制御されるので、施工場所までの搬送ロボットの自律走行を制御することができるという効果を奏する。
【００１７】
また、本発明に係る他の搬送ロボットと施工ロボットの統合管理システムによれば、施工ロボットは、施工現場の位置情報を表す図面データに基づいて自己位置を推定しながら自律走行可能であり、施工ロボット管理手段から指示された施工順序に従い資材を指定の場所に施工するように制御されるので、施工場所における施工ロボットの自律走行と施工動作を制御することができるという効果を奏する。
【００１８】
また、本発明に係る他の搬送ロボットと施工ロボットの統合管理システムによれば、無線もしくは有線の通信手段を用いて少なくとも一台のエレベータ／リフトの動作を制御管理するエレベータ／リフト管理手段をさらに備え、エレベータ／リフトは、搬送ロボットからの資材の積込みまたは荷降ろしの情報に基づいて自動開閉する扉を有し、エレベータ／リフト管理手段から指示された揚重先階数へ昇降移動可能に、かつ、扉を開閉して資材の荷降ろし後に積込み階に昇降移動可能に制御されるので、搬送ロボットの動作に応じてエレベータ／リフトの動作を制御することができるという効果を奏する。
【図面の簡単な説明】
【００１９】
【図１】図１は、本発明に係る搬送ロボットと施工ロボットの統合管理システムの実施の形態を示す施工現場の概略側断面図である。
【図２】図２は、本発明に係る搬送ロボットと施工ロボットの統合管理システムの実施の形態を示す概略ブロック図である。
【図３】図３は、本発明に係る搬送ロボットと施工ロボットの統合管理システムの実施の形態を示す概略データフロー図である。
【発明を実施するための形態】
【００２０】
以下に、本発明に係る搬送ロボットと施工ロボットの統合管理システムの実施の形態を図面に基づいて詳細に説明する。なお、この実施の形態によりこの発明が限定されるものではない。
【００２１】
本実施の形態では、建設現場のように運用場所が変化する非定常環境にインターネット公衆回線網を用いた本発明の統合管理システムを構築する。このようにすれば、建設現場のように運用場所が変化する環境であっても、自動搬送・ロボット生産システムを簡便に構築することが可能である。
【００２２】
図１に示すように、本実施の形態に係る搬送ロボットと施工ロボットの統合管理システム１０は、複数階からなる建物の施工現場に適用されるものである。１階の床には水平搬送台車１が配置され、３階の床には水平搬送台車２、３、間配り台車４、作業ロボット５が左から順に所定の間隔を空けて配置されている。また、この建物の左端には資材運搬用のエレベータ／リフト６が設けられている。エレベータ／リフト６には図示しない自動開閉扉が備わっている。
【００２３】
水平搬送台車１〜３、間配り台車４は本発明の搬送ロボットである。水平搬送台車１〜３は、床面上を水平に走行して資材を搬送する台車であり、水平搬送台車１は、１階でエレベータ／リフト６と図示しない資材置場の間を往復移動する。水平搬送台車２は、３階でエレベータ／リフト６と資材仮置場（不図示）との間を往復移動する。この資材仮置場は水平搬送台車３との間に設けられる。水平搬送台車３は、３階で資材仮置場と資材受渡し場所（不図示）との間を往復移動する。この資材受渡し場所は間配り台車４との間に設けられる。間配り台車４は水平搬送台車３から荷受けした資材を作業ロボット５に配る台車である。作業ロボット５は本発明の施工ロボットである。
【００２４】
この統合管理システム１０は、インターネット公衆回線網１２（公衆回線網）を介して水平搬送台車１、２、３、間配り台車４の搬送動作を制御管理する搬送ロボット管理手段１４と、作業ロボット５の施工動作を制御管理する施工ロボット管理手段１６と、エレベータ／リフト６の動作を制御管理するエレベータ／リフト管理手段１８とを備える。搬送ロボット管理手段１４、施工ロボット管理手段１６、エレベータ／リフト管理手段１８は管理端末２０に格納されている。管理端末２０は例えば持ち運びが容易なタブレット型端末で構成することができる。図の例では、管理端末２０は１階の作業管理者Ａが携帯している。また、この統合管理システム１０は、各種データを保有し、インターネット公衆回線網１２を介してアクセス可能な管理サーバ２２を有している。
【００２５】
図１および図２に示すように、水平搬送台車１、２、３、間配り台車４、作業ロボット５、エレベータ／リフト６などの仮設機械設備、管理端末２０、管理サーバ２２は、インターネット公衆回線網１２に無線または有線通信回線（通信手段）を介して接続している。また、管理サーバ２２は、インターネット公衆回線網１２を通じて、運用場所の水平搬送台車１〜３、間配り台車４、作業ロボット５、エレベータ／リフト６、管理端末２０とデータ通信可能であり、命令、報告等の各種データを送受信できるようになっている。これにより、統合管理システム１０を使って、施工現場内の施工状況や各種自動化機械（水平搬送台車１、２、３、間配り台車４、作業ロボット５、エレベータ／リフト６等）を統合管理することで各々を連携し搬送から施工まで一体で自動化することが可能となる。
【００２６】
管理サーバ２２には、図面データ、資材データ、搬送データ、施工データ、作業状態データが記録されており、インターネット公衆回線網１２を経由して上記の各種自動化機械と適時送受信可能となっている。
【００２７】
ここで、図面データとは、各階の建物形状データとともに、水平搬送台車１〜３、間配り台車４といった搬送ロボットの初期位置やエレベータ／リフト６の設置場所、資材仮置場などの情報を含むデータである。資材データとは、資材の種別、寸法、重量、数量の情報を含むデータである。搬送データとは、搬送する資材の順序、仮置場所、階数、搬送先仮置場所、階数の情報を含むデータであり、資材データに紐づけされる。施工データとは、施工資材の順序、場所、階数、取り付け座標の情報を含むデータであり、資材データに紐づけされる。作業状態データとは、水平搬送台車１〜３、間配り台車４といった搬送ロボット、エレベータ／リフト６、作業ロボット５の現在状態情報であり、搬送ロボットであれば現在位置、速度や資材積載の有無、計測重量などである。エレベータ／リフト６であれば搬器の位置、資材の積載情報、計測重量、扉の開閉状況である。作業ロボット５であれば施工位置、資材の有無、把持や取り付けなど作業状況、作業支材の計測重量などである。
【００２８】
管理端末２０では、搬送順序や搬送先階数、施工順序など作業指示情報を入力することができ、入力に応じた作業指示を上記の各種自動化機械に命令することができる。
【００２９】
水平搬送台車１〜３、間配り台車４（搬送ロボット）は、図面データを基にＳＬＡＭ（Ｓｉｍｕｌｔａｎｅｏｕｓ  Ｌｏｃａｌｉｚａｔｉｏｎ  ａｎｄ  Ｍａｐｐｉｎｇ）により自律走行することができ、管理端末２０により指示された揚重順序に従い資材を仮置場からエレベータ／リフト６、またはエレベータ／リフト６から仮置場へ搬送する。また、施工順序に従い資材を仮置場から作業ロボット５の作業場所へと搬送することができるようになっている。
【００３０】
エレベータ／リフト６は、水平搬送台車１、２からの資材積込みまたは荷降ろしの情報に基づき扉の自動開閉ができ、管理端末２０により指示された揚重先階数へ移動し、荷降ろし後に積込み階に移動することができるようになっている。
【００３１】
作業ロボット５（施工ロボット）は、図面データを基にＳＬＡＭにより自律走行することができ、管理端末２０により指示された施工順序に従い資材を指定の場所に取り付け施工等を行えるようになっている。
【００３２】
上記のように構成した統合管理システム１０では、搬入された資材を水平搬送台車１によってエレベータ／リフト６に積込み、施工階へ揚重する。そして、水平搬送台車２によってエレベータ／リフト６から荷降ろし、水平搬送台車２、３、間配り台車４によって資材の施工場所まで運搬する。さらに、運搬された資材を作業ロボット５によって施工する一連の制御管理を行う。
【００３３】
次に、管理端末２０の制御による水平搬送台車１〜３、間配り台車４、作業ロボット５、エレベータ／リフト６の動作の一例について、図３の概略データフローを参照しながら説明する。なお、指令情報やデータの送受信は、上述したように各機器間で直接行うのではなく、全てインターネット公衆回線網１２と管理サーバ２２を経由して行われる。
【００３４】
（水平搬送台車１）
図３に示すように、水平搬送台車１は、管理端末２０から搬入指令情報を受信すると（ステップＳ１１）、その指令情報に従って資材置場（仮置場）から荷取／搬送を行うように自律走行する（ステップＳ１２）。そして、エレベータ／リフト６からの開扉の情報を受信すると、エレベータ積み込みを行うように動作する（ステップＳ１３）。積み込みが完了したら、その旨の情報をエレベータ／リフト６に向けて送信する（ステップＳ１４）。
【００３５】
（エレベータ／リフト６）
図３に示すように、エレベータ／リフト６は、管理端末２０から搬送指令を受信すると（ステップＳ６１）、積み込み階に到着するように動作する（ステップＳ６２）。その後、扉を開くとともに、その旨の情報を水平搬送台車１に向けて送信する（ステップＳ６３）。水平搬送台車１からの積み込み完了の情報を受信したら、扉を閉めて（ステップＳ６４）、搬送階に移動する（ステップＳ６５）。そして、扉を開くとともに、開扉完了の情報を水平搬送台車２に向けて送信する（ステップＳ６６）。
【００３６】
（水平搬送台車２）
図３に示すように、水平搬送台車２は、管理端末２０から搬送指令情報を受信するとともに（ステップＳ２１）、エレベータ／リフト６からの開扉完了の情報を受信すると、エレベータ／リフト６から荷取りを行う（ステップＳ２２）。その後、搬送／仮置場へ仮置きする動作を行うとともに、仮置完了の情報を水平搬送台車３に向けて送信する（ステップＳ２３）。
【００３７】
（水平搬送台車３）
図３に示すように、水平搬送台車３は、管理端末２０から搬送指令情報を受信するとともに（ステップＳ３１）、水平搬送台車２からの仮置完了の情報を受信すると、荷取りを行う（ステップＳ３２）。その後、資材受渡し場所へ移動し、到着したらその旨の情報を間配り台車４に向けて送信する（ステップＳ３３）。その後、間配り台車４から資材受渡し場所へ到着した旨の情報を受信したら、資材を受渡す動作を行う（ステップＳ３４）。そして、資材受渡しが完了したら、その旨の情報を間配り台車４に向けて送信する（ステップＳ３５）。
【００３８】
（間配り台車４）
図３に示すように、間配り台車４は、管理端末２０から搬送指令情報を受信するとともに（ステップＳ４１）、水平搬送台車３から資材受渡し場所へ到着した旨の情報を受信すると、資材受渡し場所へ移動し、到着したらその旨の情報を水平搬送台車３に向けて送信する（ステップＳ４２）。その後、水平搬送台車３から資材受渡し完了の情報を受信し、さらに、作業ロボット５から作業場所へ到着した旨の情報を受信したら、作業場所に移動する（ステップＳ４３）。そして、作業場所へ到着した旨の情報を作業ロボット５に向けて送信する（ステップＳ４４）。
【００３９】
（作業ロボット５）
図３に示すように、作業ロボット５は、管理端末２０から作業指令情報を受信すると（ステップＳ５１）、その作業場所へ移動し、到着したら、その旨の情報を間配り台車４に向けて送信する（ステップＳ５２）。その後、間配り台車４から作業場所へ到着した旨の情報を受信すると、資材を受け取って作業を開始し（ステップＳ５３）、指令された作業を行って作業を完了する（ステップＳ５４）。
【００４０】
このように、本実施の形態では、通信制御手段としてインターネット公衆回線網１２を用いることから、システムの運用場所に通信インフラを新たに敷設することなく運用を開始でき、運用場所の変化に対応することが容易である。また、水平搬送台車１、２、３、間配り台車４、作業ロボット５、エレベータ／リフト６といった各種自動化機械を統合管理することで各々を連携し搬送から施工まで一体で自動化することが可能となる。また、作業管理者が管理端末２０を用いて搬送または施工順序の指示を行うので、施工環境の変化に対応することができる。
【００４１】
以上説明したように、本発明に係る搬送ロボットと施工ロボットの統合管理システムによれば、施工現場において用いられ、資材を搬送するための搬送ロボットと、資材を施工するための施工ロボットとを統合的に管理するシステムであって、無線もしくは有線の通信手段を用いて少なくとも一台の搬送ロボットの搬送動作を制御管理する搬送ロボット管理手段と、無線もしくは有線の通信手段を用いて少なくとも一台の施工ロボットの施工動作を制御管理する施工ロボット管理手段とを備えるので、通信制御手段として公衆回線網を用いることから、システムの運用場所に通信インフラを新たに敷設することなく運用を開始でき、運用場所の変化に対応することが容易である。また、搬送ロボットと施工ロボットといった各種自動化機械を統合管理することで各々を連携し搬送から施工まで一体で自動化することが可能となる。
【００４２】
また、本発明に係る他の搬送ロボットと施工ロボットの統合管理システムによれば、搬送ロボット管理手段および施工ロボット管理手段は、作業指示情報を入力可能な管理端末に格納され、搬送ロボットおよび施工ロボットはこの管理端末に入力された作業指示情報に基づいて制御管理されるので、作業管理者などが作業指示情報をその都度管理端末に入力して手順の指示を行うことで搬送ロボットと施工ロボットを容易に制御管理することができる。また、施工環境の変化に対応することができる。
【００４３】
また、本発明に係る他の搬送ロボットと施工ロボットの統合管理システムによれば、搬送ロボットは、施工現場の位置情報を表す図面データに基づいて自己位置を推定しながら自律走行可能であり、搬送ロボット管理手段から指示された搬送順序に従い資材を仮置場からエレベータ／リフトへ、またはエレベータ／リフトから仮置場へ搬送するように制御されるので、仮置場とエレベータ／リフトの間における搬送ロボットの自律走行を制御することができる。
【００４４】
また、本発明に係る他の搬送ロボットと施工ロボットの統合管理システムによれば、搬送ロボットは、搬送ロボット管理手段から指示された搬送順序に従い資材を仮置場またはエレベータ／リフトから施工ロボットの施工場所へ搬送するように制御されるので、施工場所までの搬送ロボットの自律走行を制御することができる。
【００４５】
また、本発明に係る他の搬送ロボットと施工ロボットの統合管理システムによれば、施工ロボットは、施工現場の位置情報を表す図面データに基づいて自己位置を推定しながら自律走行可能であり、施工ロボット管理手段から指示された施工順序に従い資材を指定の場所に施工するように制御されるので、施工場所における施工ロボットの自律走行と施工動作を制御することができる。
【００４６】
また、本発明に係る他の搬送ロボットと施工ロボットの統合管理システムによれば、無線もしくは有線の通信手段を用いて少なくとも一台のエレベータ／リフトの動作を制御管理するエレベータ／リフト管理手段をさらに備え、エレベータ／リフトは、搬送ロボットからの資材の積込みまたは荷降ろしの情報に基づいて自動開閉する扉を有し、エレベータ／リフト管理手段から指示された揚重先階数へ昇降移動可能に、かつ、扉を開閉して資材の荷降ろし後に積込み階に昇降移動可能に制御されるので、搬送ロボットの動作に応じてエレベータ／リフトの動作を制御することができる。
【産業上の利用可能性】
【００４７】
以上のように、本発明に係る搬送ロボットと施工ロボットの統合管理システムは、建設現場において資材の搬送を行う搬送ロボットと、資材の取り付け施工等を行う施工ロボットとを統合的に制御管理するのに有用であり、特に、運用場所ごとに新たに通信インフラを敷設することなく運用を開始でき、運用場所の変化に容易に対応するのに適している。
【符号の説明】
【００４８】
１，２，３  水平搬送台車（搬送ロボット）
４  間配り台車（搬送ロボット）
５  作業ロボット（施工ロボット）
６  エレベータ／リフト
１０  搬送ロボットと施工ロボットの統合管理システム
１２  インターネット公衆回線網（公衆回線網）
１４  搬送ロボット管理手段
１６  施工ロボット管理手段
１８  エレベータ／リフト管理手段
２０  管理端末
２２  管理サーバ
Ａ  作業管理者
【図１】
2017228101.tif 000003
【図２】
2017228101.tif 000004
【図３】
2017228101.tif 000005